【手続補正書】
【提出日】平成25年7月2日(2013.7.2)
【手続補正１】
【補正対象書類名】明細書
【補正対象項目名】発明の名称
【補正方法】変更
【補正の内容】
【発明の名称】制御装置、発電装置、蓄電装置、並びに電力制御システム
【手続補正２】
【補正対象書類名】明細書
【補正対象項目名】０００１
【補正方法】変更
【補正の内容】
【０００１】
本発明は、制御装置、発電装置、蓄電装置、並びに電力制御システムに関し、特に、発電した電力をより効率よく利用することができるようにした制御装置、発電装置、蓄電装置、並びに電力制御システムに関する。
【手続補正３】
【補正対象書類名】明細書
【補正対象項目名】００３５
【補正方法】削除
【補正の内容】
【手続補正４】
【補正対象書類名】明細書
【補正対象項目名】００４０
【補正方法】削除
【補正の内容】
【手続補正５】
【補正対象書類名】明細書
【補正対象項目名】００４７
【補正方法】削除
【補正の内容】
【手続補正６】
【補正対象書類名】明細書
【補正対象項目名】０１２１
【補正方法】変更
【補正の内容】
【０１２１】
記憶部４１３は、例えば、フラッシュメモリ等のSSDやハードディスクなどよりなり、制御部４１０から供給される情報を記憶したり、記憶している情報を制御部４１０に供給したりする。
【手続補正７】
【補正対象書類名】明細書
【補正対象項目名】０１４８
【補正方法】変更
【補正の内容】
【０１４８】
さらに、コントローラ１１０から発電デバイス１２０に供給される発電情報には、例えば、蓄電デバイス１３０の個体情報（蓄電デバイス１３０、受電デバイス４４０、若しくは消費デバイス４５０に関する情報）が含まれる。この個体情報には、例えば、蓄電デバイス１３０を識別する識別情報や、蓄電デバイス１３０が有する機能（構成や仕様等）に関する情報等が含まれる。この情報に基づいて、制御部３１０は、正しい蓄電デバイス１３０へ適正に送電を行うように、送電部３３３を制御することができる。
【手続補正８】
【補正対象書類名】明細書
【補正対象項目名】０１５８
【補正方法】変更
【補正の内容】
【０１５８】
また、コントローラ１１０から蓄電デバイス１３０に供給される電力消費情報には、例えば、発電デバイス１２０の個体情報（送電デバイス３４０に関する情報）が含まれる。この個体情報には、例えば、発電デバイス１２０を識別する識別情報や、発電デバイス１２０が有する機能（構成や仕様等）に関する情報等が含まれる。この情報に基づいて、制御部４１０は、正しい発電デバイス１２０から適正に受電を行うように、受電部４３１を制御することができる。
【手続補正９】
【補正対象書類名】明細書
【補正対象項目名】０２０２
【補正方法】変更
【補正の内容】
【０２０２】
例えば、制御部２１０は、送電先として指定する大容量デバイスの蓄電部４３２の蓄電量が所定の閾値より大きく、空き容量が十分に存在しなかったり、受電可能な位置に存在しなかったり、かつ、受電可能な動作状態に無かったりした場合（大容量デバイスが、受電可能な状態になかった場合）、処理をステップＳ３０１に戻し、それ以降の処理を繰り返す。
【手続補正１０】
【補正対象書類名】特許請求の範囲
【補正対象項目名】全文
【補正方法】変更
【補正の内容】
【特許請求の範囲】
【請求項１】
発電を行う発電デバイスと、電力を蓄電する蓄電デバイスとの間の電力の授受を制御する制御装置であって、
前記発電デバイスの発電状況に関する情報である第１の情報を取得する第１の取得手段と、
前記蓄電デバイスの蓄電状態に関する情報である第２の情報を取得する第２の取得手段と、
前記第１の取得手段により取得された前記第１の情報に示される前記発電状況、および、前記第２の取得手段により取得された前記第２の情報に示される前記蓄電状態に応じて、前記発電デバイスにより発電された電力の送電先とする蓄電デバイスを決定する決定手段と、
送電元の前記発電デバイスに対して、前記決定手段により送電先として決定された前記蓄電デバイスへの送電開始を指示する送電指令を供給する第１の供給手段と、
前記決定手段により送電先として決定された前記蓄電デバイスに対して、送電元の前記発電デバイスからの受電開始を指示する受電指令を供給する第２の供給手段と
を備える制御装置。
【請求項２】
前記第１の情報は、前記発電デバイスの現在の発電出力および過去の発電出力履歴を含み、
前記決定手段は、前記発電デバイスの現在の発電出力および過去の発電出力履歴に基づいて、今後の発電出力を予測し、予測結果に応じて送電先とする蓄電デバイスを決定する
請求項１に記載の制御装置。
【請求項３】
前記発電デバイスは、蓄電部を有し、発電した電力を前記蓄電部に蓄電させてから送電し、
前記第１の情報は、前記蓄電部の蓄電状態に関する情報を含み、
前記蓄電部の蓄電状態に基づいて、前記発電デバイスの送電の可否を判定する判定手段をさらに備え、
前記第１の供給手段は、前記判定手段により前記発電デバイスが送電可能な場合のみ前記送電指令を供給する
請求項１に記載の制御装置。
【請求項４】
前記発電デバイスは、蓄電部を有し、発電した電力を前記蓄電部に蓄電させてから送電し、
前記第１の情報は、前記蓄電部の蓄電状態に関する情報、および、前記蓄電部の蓄電状態に基づいて行われた前記発電デバイスの送電の可否判定の結果を示す情報を含み、
前記第１の供給手段は、前記取得手段により取得された前記第１の情報に含まれる前記発電デバイスの送電の可否判定の結果を示す情報において前記発電デバイスが送電可能とされる場合のみ前記送電指令を供給する
請求項１に記載の制御装置。
【請求項５】
前記発電デバイスは、蓄電部を有し、発電した電力を前記蓄電部に蓄電させてから送電し、
前記第１の供給手段により供給された前記送電指令の応答として、前記発電デバイスから供給される、前記蓄電部の蓄電状態に基づいて行われた前記発電デバイスの送電の可否判定の結果を示す情報を取得する第３の取得手段をさらに備える
請求項１に記載の制御装置。
【請求項６】
前記発電デバイスは、蓄電部を有し、発電した電力を前記蓄電部に蓄電させてから送電し、
前記第１の情報は、前記蓄電部の使用履歴に関する情報を含み、
前記蓄電部の使用履歴に関する情報に基づいて、前記蓄電部の信頼性や寿命予測等を行い、前記蓄電部のメンテナンスのスケジュール管理を行う管理手段をさらに備える
請求項１に記載の制御装置。
【請求項７】
前記第１の情報は、前記発電デバイスの認証用個体情報を含み、
前記発電デバイスの認証用個体情報を用いて、前記発電デバイスの認証を行う認証手段をさらに備える
請求項１に記載の制御装置。
【請求項８】
前記第１の情報は、前記発電デバイスが送電可能となる次回の時間予測に関する情報を含み、
前記第１の供給手段は、前記発電デバイスが送電可能となる次回の時間予測に関する情報に基づいて、次回、前記発電デバイスが送電可能となる時刻に、前記送電指令を供給する
請求項１に記載の制御装置。
【請求項９】
前記第１の情報は、前記発電デバイスの位置情報を含み、
前記第１の供給手段は、前記発電デバイスの位置情報に基づいて、前記発電デバイスが送電可能な位置に存在する場合のみ前記送電指令を供給する
請求項１に記載の制御装置。
【請求項１０】
前記第１の情報は、前記発電デバイスが有する送電部の動作状態を示す情報を含み、
前記第１の供給手段は、前記送電部の動作状態を示す情報に基づいて、前記送電部が送電可能な動作状態である場合のみ前記送電指令を供給する
請求項１に記載の制御装置。
【請求項１１】
前記第２の情報は、前記蓄電デバイスが有する蓄電部の現在の蓄電状態に関する情報を含み、
前記決定手段は、前記蓄電部の現在の蓄電状態に関する情報に基づいて、送電先とする蓄電デバイスの決定を行う
請求項１に記載の制御装置。
【請求項１２】
前記第２の情報は、前記蓄電デバイスが有する蓄電部の蓄電量に基づく、前記蓄電デバイスが有する電力消費部の残り可能運転時間に関する情報を含み、
前記決定手段は、前記電力消費部の残り可能運転時間に関する情報に基づいて、送電先とする蓄電デバイスの決定を行う
請求項１に記載の制御装置。
【請求項１３】
前記第２の情報は、前記蓄電デバイスの認証用個体情報を含み、
前記蓄電デバイスの認証用個体情報を用いて、前記蓄電デバイスの認証を行う認証手段をさらに備える
請求項１に記載の制御装置。
【請求項１４】
前記第２の情報は、蓄電デバイスの位置情報を含み、
前記第２の供給手段は、前記蓄電デバイスの位置情報に基づいて、前記蓄電デバイスが受電可能な位置に存在する場合のみ前記受電指令を供給する
請求項１に記載の制御装置。
【請求項１５】
前記第２の情報は、前記蓄電デバイスが有する受電部の動作状態に関する情報を含み、
前記第２の供給手段は、前記受電部の動作状態を示す情報に基づいて、前記受電部が受電可能な動作状態である場合のみ前記受電指令を供給する
請求項１に記載の制御装置。
【請求項１６】
前記決定手段は、前記発電デバイスにより発電された電力を消費する電力消費部を有する蓄電デバイスを、前記送電先として決定する
請求項１に記載の制御装置。
【請求項１７】
前記決定手段は、比較的大容量の蓄電部を有する蓄電デバイスを、前記送電先として決定する
請求項１に記載の制御装置。
【請求項１８】
さらに、蓄電デバイス同士の電力の授受も制御し、
前記決定手段は、蓄電デバイスを送電元として、前記送電元の蓄電デバイスに蓄電されている電力の送電先とする蓄電デバイスを決定し、
前記第１の供給手段は、前記送電指令を、前記送電元の蓄電デバイスに供給する
請求項１に記載の制御装置。
【請求項１９】
前記第２の取得手段は、自分自身が制御する発電デバイスおよび蓄電デバイスと異なる発電デバイスおよび蓄電デバイスを制御する他の制御装置から、前記他の制御装置が制御する蓄電デバイスの前記第２の情報を取得し、
前記決定手段は、前記第１の取得手段により取得された前記第１の情報に示される前記発電状況、および、前記第２の取得手段により取得された、前記他の制御装置が制御する蓄電デバイスの前記第２の情報に示される前記蓄電状態に応じて、前記発電デバイスにより発電された電力の送電先とする蓄電デバイスを決定し、
前記第２の供給手段は、前記受電指令を、前記決定手段により送電先として決定された前記蓄電デバイスに対して、前記他の制御装置を介して供給する
請求項１に記載の制御装置。
【請求項２０】
前記第１の取得手段は、自分自身が制御する発電デバイスおよび蓄電デバイスと異なる発電デバイスおよび蓄電デバイスを制御する他の制御装置から、前記他の制御装置が制御する発電デバイスの前記第１の情報を取得し、
前記決定手段は、前記第１の取得手段により取得された、前記他の制御装置が制御する発電デバイスの前記第１の情報に示される前記発電状況、および、前記第２の取得手段により取得された前記第２の情報に示される前記蓄電状態に応じて、前記発電デバイスにより発電された電力の送電先とする蓄電デバイスを決定し、
前記第１の供給手段は、前記送電指令を、送電元の前記発電デバイスに対して、前記他の制御装置を介して供給する
請求項１に記載の制御装置。
【請求項２１】
自分自身が制御する発電デバイスおよび蓄電デバイスと異なる発電デバイスおよび蓄電デバイスを制御する他の制御装置と相互認証を行う相互認証手段をさらに備える
請求項１に記載の制御装置。
【請求項２２】
発電を行う発電手段と、
前記発電手段により発電されて得られた電力の授受を制御する制御装置から、前記電力の送電開始を指示する送電指令を取得する取得手段と、
前記取得手段により取得された前記送電指令により送電先として指定される他の装置に対して、前記発電手段により発電されて得られた電力を送電する送電手段と
を備える発電装置。
【請求項２３】
前記発電手段により発電されて得られた電力を蓄電する蓄電手段をさらに備え、
前記送電手段は、前記蓄電手段により蓄電されている電力を送電する
請求項２２に記載の発電装置。
【請求項２４】
前記蓄電手段による蓄電状態に基づいて、前記送電手段による送電の可否を判定する判定手段と、
前記判定手段による判定結果を前記制御装置に供給する供給手段と
をさらに備える請求項２３に記載の発電装置。
【請求項２５】
前記制御装置に対して、前記発電手段による発電状況に関する情報を供給する供給手段をさらに備える
請求項２２に記載の発電装置。
【請求項２６】
電力の授受を制御する制御装置から、他の装置から供給される電力の受電開始を指示する受電指令を取得する取得手段と、
前記取得手段により取得された前記受電指令により送電元として指定される前記他の装置から供給される電力を受電する受電手段と、
前記受電手段により受電された前記電力を蓄電する蓄電手段と
を備える蓄電装置。
【請求項２７】
前記他の装置は発電装置である
請求項２６に記載の蓄電装置。
【請求項２８】
前記他の装置は、自分自身に蓄電されている電力を送電する送電機能を有する他の蓄電装置である
請求項２６に記載の蓄電装置。
【請求項２９】
前記蓄電手段により蓄電された前記電力を消費する電力消費手段をさらに備える
請求項２６に記載の蓄電装置。
【請求項３０】
前記蓄電手段により蓄電された前記電力を他の蓄電装置に送電する送電手段をさらに備える
請求項２６に記載の蓄電装置。
【請求項３１】
前記制御装置に対して、前記蓄電手段による蓄電状態に関する情報を供給する供給手段をさらに備える
請求項２６に記載の蓄電装置。
【請求項３２】
発電を行う発電装置、電力を蓄電する蓄電装置、および、前記発電装置と前記蓄電装置との間の電力の授受を制御する制御装置とを有する電力制御システムであって、
前記制御装置は、
前記発電装置の発電状況に関する情報である第１の情報を取得する第１の取得手段と、
前記蓄電装置の蓄電状態に関する情報である第２の情報を取得する第２の取得手段と、
前記第１の取得手段により取得された前記第１の情報に示される前記発電状況、および、前記第２の取得手段により取得された前記第２の情報に示される前記蓄電状態に応じて、前記発電装置により発電された電力の送電先とする蓄電装置を決定する決定手段と、
送電元の前記発電装置に対して、前記決定手段により送電先として決定された前記蓄電装置への送電開始を指示する送電指令を供給する第１の供給手段と、
前記決定手段により送電先として決定された前記蓄電装置に対して、送電元の前記発電装置からの受電開始を指示する受電指令を供給する第２の供給手段と
を備え、
前記発電装置は、
発電を行う発電手段と、
前記制御装置に対して、前記発電手段による発電状況に関する情報を供給する第３の供給手段と、
前記第３の供給手段により前記発電手段による発電状況に関する情報を供給した前記制御装置から、前記送電指令を取得する第３の取得手段と、
前記第３の取得手段により取得された前記送電指令により送電先として指定される前記蓄電装置に対して、前記発電手段により発電されて得られた電力を送電する送電手段と
を備え、
前記蓄電装置は、
前記制御装置に対して、蓄電状態に関する情報を供給する第４の供給手段と、
前記第４の供給手段により前記蓄電状態に関する情報を供給した前記制御装置から、前記受電指令を取得する第４の取得手段と、
前記第４の取得手段により取得された前記受電指令により送電元として指定される前記発電装置から供給される電力を受電する受電手段と、
前記受電手段により受電された前記電力を蓄電する蓄電手段と
を備える電力制御システム。